(57)【要約】【課題】  美観を損ねることなく、省スペース化を実現することができるとともに、開閉操作を円滑かつ軽快に行うことができるドア構造を提供する。【解決手段】  本発明は、開口部分３ａを有する収納庫３（建造物）と、表面側５ａに操作部材９を有し、該開口部分３ａを開閉可能にスライドするドア本体５とを備えるドア構造１であって、ドア本体５が開口部分３ａを閉塞した閉位置と、ドア本体５が開口部分３ａを開放した開放位置へ移動可能な開放可能位置との間で、開口部分３ａに対して内外方向へドア本体５をスライド可能に支持する内外方向支持部７と、ドア本体５を開放可能位置と開放位置との間で開口部分３ａに対して左右方向へスライド可能に支持する左右方向支持部１１とを備えることを特徴とする。【選択図】    図１
2007309063.tif 000002
【特許請求の範囲】
【請求項１】
開口部分を有する建造物と、表面側に操作部材を有し、該開口部分を開閉可能にスライドするドア本体とを備えるドア構造であって、
前記ドア本体が前記開口部分を閉塞した閉位置と、前記ドア本体が前記開口部分を開放した開放位置へ移動可能な開放可能位置との間で、前記開口部分に対して内外方向へ前記ドア本体をスライド可能に支持する内外方向支持部と、
前記ドア本体を前記開放可能位置と前記開放位置との間で前記開口部分に対して左右方向へスライド可能に支持する左右方向支持部と
を備えることを特徴とするドア構造。
【請求項２】
前記建造物は、収納庫又は部屋であることを特徴とする請求項１に記載のドア構造。
【請求項３】
前記内外方向支持部は、前記建造物又は前記ドア本体のいずれか一方に設けられ、
前記左右方向支持部は、前記内外方向支持部が設けられている前記建造物又は前記ドア本体のいずれか他方に設けられていることを特徴とする請求項１又は請求項２に記載のドア構造。
【請求項４】
前記内外方向支持部は、
前記閉位置から前記開放可能位置へ前記ドア本体を押圧する押圧部材と、
前記押圧部材を収容する第１収容部材と
を備えることを特徴とする請求項１乃至請求項３のいずれか１項に記載のドア構造。
【請求項５】
前記押圧部材は、
前記開口部分に対して内外方向へスライドする棒状の棒状部材と、
前記棒状部材を前記開口部分に対して外側方向へ付勢する付勢部材と
を備えることを特徴とする請求項４に記載のドア構造。
【請求項６】
前記棒状部材は、前記ドア本体を前記開口部分に対して左右方向へのスライドを可能にさせるスライド部材を備えることを特徴とする請求項５に記載のドア構造。
【請求項７】
前記左右方向支持部は、
前記建造物又は前記ドア本体のいずれか一方に固定される板状の固定板部材と、
前記固定板部材よりも前記開口部分側に設けられ、前記開口部分に対して左右方向へスライドする板状のスライド板部材と、
前記スライド板部材に固定され、前記左右方向支持部が固定されている前記建造物又は前記ドア本体のいずれか他方と前記スライド板部材とを連結する連結部材と
を備えていることを特徴とする請求項１乃至請求項６のいずれか１項に記載のドア構造。
【請求項８】
前記左右方向支持部が設けられている前記建造物又は前記ドア本体のいずれか他方には、前記連結部材を収容する第２収容部材が設けられていることを特徴とする請求項７に記載のドア構造。
【請求項９】
前記連結部材は、前記ドア本体を前記開口部分に対して外側方向へ規制する規制部材を備えることを特徴とする請求項７又は請求項８に記載のドア構造。
【請求項１０】
前記閉位置で前記ドア本体を前記建造物側へ保持するロック部材を備えていることを特徴とする請求項１乃至請求項９のいずれか１項に記載のドア構造。
【請求項１１】
前記ロック部材は、
前記建造物又は前記ドア本体のいずれか他方に設けられる鈎状のフック部材と、
前記フック部材が設けられている前記建造物又は前記ドア本体のいずれか他方に設けられ、前記フック部材と嵌合する嵌合部材と
を備えることを特徴とする請求項１０に記載のドア構造。
【発明の詳細な説明】
【技術分野】
【０００１】
本発明は、ドア構造に関し、特に、開口部分を有する建造物と、該開口部分を開閉可能にスライドするドア本体とを備えるドア構造に関する。
【背景技術】
【０００２】
従来、開口部分を有する収納庫（例えば、キッチンルームに設けられる吊り戸棚）と、この開口部分を開閉可能に移動するドア本体とを備えるドア構造について、様々な提案がなされている。
【０００３】
例えば、ドア本体として、引き違いドアが用いられているドア構造が知られている。この引き違いドアが用いられているドア構造では、収納庫における開口部分の前面側に、２枚のドア本体を案内する案内溝が形成されたレールが設けられている。この２枚のドア本体がレールに形成された案内溝を移動（スライド）することにより、２枚のドア本体が収納庫における開口部分を開閉することができる。
【０００４】
また、ドア本体として、観音開きドアが用いられているドア構造も知られている（例えば、特許文献１参照）。この観音開きドアが用いられているドア構造では、収納庫における開口部分の端部に対応したドア本体の上縁及び下縁の端部に、該ドア本体を回転可能に支持する回転支持部が設けられている。この回転支持部を中心にドア本体が表面側へ向かって回転することにより、ドア本体が収納庫における開口部分を開閉することができる。
【０００５】
なお、このような収納庫以外の一般的な建造物（例えば、部屋）におけるドア構造においても、同様な構成が適用されている。すなわち、収納庫以外の一般的な部屋等におけるドア構造においても、引き違いドアが用いられているドア構造や、観音開きドアが用いられているドア構造が用いられている。
【特許文献１】実公平７−２０００６号公報
【発明の開示】
【発明が解決しようとする課題】
【０００６】
しかしながら、引き違いドアが用いられたドア構造では、２枚のドア本体がレールに形成された案内溝を移動するため、該ドア本体の厚さ方向に該ドア本体の厚さ分以上の段差が生じてしまい、美観を損ねてしまうという問題があった。また、引き違いドアが用いられたドア構造では、開口部分の前面側でレールが露出する部分があるため、案内溝に異物（例えば、ほこり）が貯まってしまうことがあり、開閉動作を円滑かつ軽快に行うことができない場合があった。
【０００７】
一方、観音開きドアが用いられているドア構造では、回転支持部を中心にドア本体が表面側へ向かって回転するため、建造物の表面側にドア本体を開くスペース（すなわち、回動スペース）を要してしまうという問題があった。
【０００８】
そこで、本発明は、上述の問題を鑑みてなされたものであり、美観を損ねることなく、省スペース化を実現することができるとともに、開閉操作を円滑かつ軽快に行うことができるドア構造を提供することを目的とする。
【課題を解決するための手段】
【０００９】
上述した課題を解決するため、本発明は、次のような特徴を有している。まず、本発明の第１の特徴に係る発明は、開口部分を有する建造物と、表面側に操作部材を有し、該開口部分を開閉可能にスライドするドア本体とを備えるドア構造であって、ドア本体が開口部分を閉塞した閉位置と、ドア本体が開口部分を開放した開放位置へ移動可能な開放可能位置との間で、開口部分に対して内外方向へ前記ドア本体をスライド可能に支持する内外方向支持部と、ドア本体を開放可能位置と開放位置との間で開口部分に対して左右方向へスライド可能に支持する左右方向支持部とを備えることを要旨とする。
【００１０】
かかる特徴によれば、閉位置と開放可能位置との間で開口部分に対して内外方向へドア本体をスライド可能に支持する内外方向支持部と、ドア本体を開放可能位置と開放位置との間で開口部分に対して左右方向へスライド可能に支持する左右方向支持部とを備えることによって、ドア本体が建造物における開口部分をスライドすることで開閉することができる。
【００１１】
具体的には、上記構成のドア構造は、従来の引き違いドアが用いられたドア構造と異なり、ドア本体の厚さ方向に該ドア本体の厚さ分以上の段差が生じることがないため、美観を損ねることがない。
【００１２】
また、上記構成のドア構造は、従来の引き違いドアが用いられたドア構造と異なり、開口部分の前面側に露出する部分がない（すなわち、露出する部分に異物（例えば、ほこり）が貯まることがない）ため、開閉動作を円滑かつ軽快に行うことができる。
【００１３】
さらに、上記構成のドア構造は、従来の観音開きドアが用いられているドア構造と異なり、回転支持部を中心にドア本体が表面側へ向かって回転しない（すなわち、ドア本体の表面側に回動スペースを要しない）ため、建造物の表面側の省スペース化を実現することができる。
【００１４】
本発明の第２の特徴に係る発明は、建造物が収納庫又は部屋であることを要旨とする。
【００１５】
本発明の第３の特徴に係る発明は、建造物又はドア本体のいずれか一方に内外方向支持部が設けられ、内外方向支持部が設けられている建造物又はドア本体のいずれか他方に左右方向支持部が設けられていることを特徴とする要旨とする。
【００１６】
本発明の第４の特徴に係る発明は、閉位置から開放可能位置へドア本体を押圧する押圧部材と、押圧部材を収容する第１収容部材とを内外方向支持部が備えることを要旨とする。
【００１７】
本発明の第５の特徴に係る発明は、開口部分に対して内外方向へスライドする棒状の棒状部材と、棒状部材を開口部分に対して外側方向へ付勢する付勢部材とを押圧部材が備えることを要旨とする。
【００１８】
本発明の第６の特徴に係る発明は、ドア本体を開口部分に対して左右方向へのスライドを可能にさせるスライド部材を棒状部材が備えることを要旨とする。
【００１９】
発明の第７の特徴に係る発明は、建造物又はドア本体のいずれか一方に固定される板状の固定板部材と、固定板部材よりも開口部分側に設けられ、開口部分に対して左右方向へスライドする板状のスライド板部材と、スライド板部材に固定され、左右方向支持部が固定されている建造物又はドア本体のいずれか他方とスライド板部材とを連結する連結部材とを左右方向支持部が備えることを要旨とする。
【００２０】
発明の第８の特徴に係る発明は、左右方向支持部が設けられている建造物又はドア本体のいずれか他方に、連結部材を収容する第２収容部材が設けられていることを要旨とする。
【００２１】
発明の第９の特徴に係る発明は、ドア本体を開口部分に対して外側方向へ規制する規制部材を連結部材が備えることを要旨とする。
【００２２】
発明の第１０の特徴に係る発明は、閉位置でドア本体を建造物側へ保持するロック部材を備えていることを要旨とする。
【００２３】
発明の第１１の特徴に係る発明は、建造物又はドア本体のいずれか他方に設けられる鈎状のフック部材と、フック部材が設けられている建造物又はドア本体のいずれか他方に設けられ、フック部材と嵌合する嵌合部材とをロック部材が備えることを要旨とする。
【発明の効果】
【００２４】
本発明によれば、美観を損ねることなく、省スペース化を実現することができるとともに、開閉操作を円滑かつ軽快に行うことができるドア構造を提供することができる。
【発明を実施するための最良の形態】
【００２５】
［第１の実施の形態］
以下、第１の実施の形態に係るドア構造の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００２６】
（ドア構造の構成）
まず、第１の実施の形態に係るドア構造の構成について、図１及び図２を用いて説明する。図１は、第１の実施の形態に係るドア構造を示す斜視図であり、図２は、第１の実施の形態に係るドア構造の正面図（片側開放時）である。
【００２７】
図１及び図２に示すように、ドア構造１は、開口部分３ａを有する建造物（以下、収納庫３）と、該開口部分３ａを開閉可能にスライドするドア本体５とによって大略構成されている。
【００２８】
収納庫３は、キッチンルームの上方に設けられ、食器や調理器具などを収容する収納庫の一種である吊り戸棚であるものとする。この収納庫３は、直方体をなしている。
【００２９】
具体的には、収納庫３は、直方体の底部に位置する底板３−１と、直方体のサイド部に位置する２枚の側板３−２と、直方体の上部に位置する天板３−３と、直方体の裏面側を塞ぐ裏面板（不図示）とによって形成されている。
【００３０】
また、収納庫３には、開口部分３ａに対して内外方向へドア本体５をスライド可能に支持する内外方向支持部７が設けられている。この内外方向支持部７の詳細については、後述する。
【００３１】
ドア本体５は、２枚により構成されており、収納庫３における開口部分３ａを開閉可能にスライドする。このドア本体５は、開口部分３ａにおける左方向及び右方向のいずれの方向にもスライド可能である（図２参照）。
【００３２】
具体的には、ドア本体５は、表面側５ａと裏面側５ｂとによって構成されている。この表面側５ａには、ドア本体５を操作する（すなわち、スライドさせる）ための操作部材９が取り付けられている（図２参照）。なお、操作部材９は、ドア本体５をスライドさせやすくするために、ドア本体５の中央部に設けられていることが好ましい。
【００３３】
また、ドア本体５には、開口部分３ａに対して左右方向へスライド可能に支持する左右方向支持部１１が設けられている。この左右方向支持部１１の詳細については、後述する。
【００３４】
ここで、上述したように、ドア本体５は、常に内外方向支持部７（後述する押圧部材７ａ）により開口部分３ａに対して外側方向へ（すなわち、ドア本体５の閉位置から開放可能位置へ）押圧されている。
【００３５】
このため、ドア構造１は、閉位置でドア本体５を収納庫３側へ保持するロック部材１５を備えている。このロック部材１５は、ドア本体５側に設けられる鈎状のフック部材１５ａと、フック部材１５ａが設けられているドア本体５の他方である収納庫３側に設けられ、フック部材１５ａと嵌合する嵌合部材１５ｂとによって構成されている。
【００３６】
このロック部材１５は、例えば、ドア本体５が押圧されるとフック部材１５ａと嵌合部材１５ｂとが嵌合することでドア本体５が開口部分３ａを閉塞した閉位置でロックし、ドア本体５がさらに押圧されるとフック部材１５ａと嵌合部材１５ｂとの嵌合が外れてロックを解除する。
【００３７】
（内外方向支持部の構成）
次に、上述した内外方向支持部７の構成について、図３を用いて説明する。図３（ａ）は、第１の実施の形態に係る内外方向支持部を示す図２のＡ−Ａ断面図（閉位置）であり、図３（ｂ）は、第１の実施の形態に係る内外方向支持部を示す図２のＡ−Ａ断面図（開放可能位置）である。
【００３８】
図３に示すように、内外方向支持部７は、ドア本体５が開口部分３ａを閉塞した閉位置（図３（ａ）参照）と、ドア本体５が開口部分３ａを開放した開放位置（図２参照）へ移動可能な開放可能位置（図３（ｂ）参照）との間で、開口部分３ａに対して内外方向へドア本体５をスライド可能に支持する。
【００３９】
この内外方向支持部７は、上述したように収納庫３における底板３−１に設けられている（図１参照）。具体的には、内外方向支持部７は、ドア本体５の閉位置からドア本体５の開放可能位置へドア本体５を押圧する押圧部材７ａと、底板３−１におけるドア本体５側に切欠き形成され、押圧部材７ａを収容する収容部材７ｂ（第１収容部材）とを備えている。
【００４０】
この押圧部材７ａは、開口部分３ａに対して内外方向へスライドする棒状の棒状部材７ａ−１と、棒状部材７ａ−１を開口部分３ａに対して外側方向へ付勢する付勢部材７ａ−２とを備えている。
【００４１】
棒状部材７ａ−１は、ドア本体５を開口部分３ａに対して左右方向へのスライドを可能にさせるスライド部材７ｃを開口部分３ａ側（すなわち、先端部）に備えている。このスライド部材７ｃは、ドア本体５に曲面が接する円形状のローラからなり、軸支部材Ｓを中心に回動する。また、付勢部材７ａ−２は、バネ部材（図３では、コイルバネ）により形成されている。
【００４２】
ここで、ドア本体５には、ドア本体５の閉位置、又は、ドア本体５の開放可能位置において、自動的にドア本体５が左右方向へスライドしない（中立位置で保持する）ように、ドア本体５が閉位置の際のスライド部材７ｃと対応する位置に、該スライド部材７ｃと嵌合する溝部５ｃが形成されている。
【００４３】
（左右方向支持部の構成）
次に、上述した左右方向支持部１１の構成について、図４及び図５を用いて説明する。なお、図４（ａ）は、第１の実施の形態に係る左右方向支持部を示す図２のＢ−Ｂ断面図（閉位置）であり、図４（ｂ）は、第１の実施の形態に係る左右方向支持部を示す図２のＢ−Ｂ断面図（開放可能位置又は開放位置）であり、図５（ａ）は、第１の実施の形態に係る左右方向支持部を示す図２のＣ−Ｃ断面図（閉位置）であり、図５（ｂ）は、第１の実施の形態に係る左右方向支持部を示す図２のＣ−Ｃ断面図（開放可能位置）であり、図５（ｃ）は、第１の実施の形態に係る左右方向支持部を示す図２のＣ−Ｃ断面図（開放位置）であり、図６は、第１の実施の形態に係る板部材（固定板部材及びスライド板部材）を示す分解正面図である。
【００４４】
図４及び図５に示すように、左右方向支持部１１は、ドア本体５の開放可能位置（図４（ｂ）及び図５（ｂ）参照）と開放位置（図４（ｂ）及び図５（ｃ）参照）との間で開口部分３ａに対して左右方向へスライド可能に支持する。
【００４５】
この左右方向支持部１１は、上述したように内外方向支持部７が設けられている収納庫３の他方であるドア本体５の裏面側５ｂに設けられている（図１参照）。具体的には、図６に示すように、左右方向支持部１１は、ドア本体５における裏面側５ｂに固定される略コ字状（板状）の固定板部材１１ａ（固定レール）と、固定板部材１１ａよりも開口部分３ａ側に設けられ、開口部分３ａに対して左右方向へスライドする略コ字状（板状）のスライド板部材１１ｂ（スライドレール）とを備えている。
【００４６】
このスライド板部材１１ｂは、固定板部材１１ａをスライド可能な略コ字状の第１のスライド板部材１１ｂ−１と、第１のスライド板部材１１ｂ−１をスライド可能な略コ字状の第２のスライド板部材１１ｂ−２とによって構成されている。
【００４７】
固定板部材１１ａ、第１のスライド板部材１１ｂ−１及び第２のスライド板部材１１ｂ−２には、開口部分３ａに対して左右方向へスライドする範囲を規制するために、フックＦａ〜Ｆｄがそれぞれに設けられている。
【００４８】
具体的には、固定板部材１１ａの内側へ突出する端部のフックＦａは、第１のスライド板部材１１ｂ−１の外側へ突出する中央部のフックＦｂと係合することにより、固定板部材１１ａをスライドする第１のスライド板部材１１ｂ−１の左右方向へのスライドを規制する。
【００４９】
また、第１のスライド板部材１１ｂ−１の内側へ突出する端部のフックＦｃは、第２のスライド板部材１１ｂ−２の外側へ突出する端部のフックＦｄと係合することにより、第１のスライド板部材１１ｂ−１をスライドする第２のスライド板部材１１ｂ−２の左右方向へのスライドを規制する。
【００５０】
左右方向支持部１１は、図４及び図５に示すように、該左右方向支持部１１が固定されているドア本体５の他方である収納庫３と第２のスライド板部材１１ｂ−２とを連結する棒状の連結部材１１ｃを備えている。この連結部材１１ｃは、第２のスライド板部材１１ｂ−２に固定され、ドア本体５を開口部分３ａに対して外側方向へ規制する規制部材１１ｃ−１を先端側（すなわち、収納庫３内側）に備えている。
【００５１】
左右方向支持部１１が設けられているドア本体５の他方である収納庫３には、ドア本体５が閉位置の際に連結部材１１ｃ全体を収容する収容部材１３が設けられている。収容部材１３の側面には、規制部材１１ｃ−１が貫通する貫通溝１３Ａが形成されている。貫通溝１３Ａは、規制部材１１ｃ−１と当接することで、該連結部材１１ｃを開口部分３ａに対して内外方向へ規制する（図４（ｂ）参照）。
【００５２】
（第１の実施の形態に係る変更例１）
上述した第１の実施の形態に係る内外方向支持部７を構成する押圧部材７ａ（棒状部材７ａ−１）は、ドア本体５に曲面が接する円形状のローラからなるスライド部材７ｃが設けられているものとして説明したが、以下のように変更することができる。なお、上述した第１の実施の形態に係る内外方向支持部７と相違する部分を主として説明する。
【００５３】
図７は、変更例１に係る内外方向支持部を示す斜視図である。図７に示すように、内外方向支持部７を構成する押圧部材７ａは、開口部分３ａに対して内外方向へスライドする棒状の棒状部材７ａ−１と、棒状部材７ａ−１を開口部分３ａに対して外側方向へ付勢する付勢部材７ａ−２（図７においては不図示、図３参照）とを備えている。
【００５４】
この棒状部材７ａ−１の開口部分３ａ側（すなわち、先端部）には、ドア本体５を開口部分３ａに対して左右方向へのスライドを可能にさせ、ドア本体５に平面（底面）が接する円形状のローラからなるスライド部材７ｃが設けられている。
【００５５】
また、ドア本体５の裏面側５ｂには、スライド部材７ｃを案内する略コ字状の案内レール５ｄが設けられている。この案内レール５ｄは、ドア本体５の裏面側５ｂにビスや接着剤などで取り付けられる。このように、上述したスライド部材７ｃは、案内レール５ｄ上を左右方向へスライドすることが可能となる。
【００５６】
（第１の実施の形態に係る変更例２）
また、本発明は、上述した変更例に留まらない。上述した第１の実施の形態に係る内外方向支持部７を構成する押圧部材７ａ（棒状部材７ａ−１）は、ドア本体５に曲面が接する円形状のローラからなるスライド部材７ｃが設けられているものとして説明したが、以下のようにも変更することができる。なお、上述した第１の実施の形態に係る内外方向支持部７と相違する部分を主として説明する。
【００５７】
図８は、変更例２に係る内外方向支持部を示す斜視図である。図８に示すように、内外方向支持部７を構成する押圧部材７ａは、開口部分３ａに対して内外方向へスライドする棒状の棒状部材７ａ−１と、棒状部材７ａ−１を開口部分３ａに対して外側方向へ付勢する付勢部材７ａ−２（図８においては不図示、図３参照）とを備えている。
【００５８】
この棒状部材７ａ−１の開口部分３ａ側（すなわち、先端部）には、ドア本体５を開口部分３ａに対して左右方向へのスライドを可能にさせる板状のスライド部材７ｃが棒状部材７ａ−１と一体に設けられている。
【００５９】
また、ドア本体５の裏面側５ｂには、板状のスライド部材７ｃを案内する切欠きレール５ｅが形成されている。このように、上述したスライド部材７ｃは、切欠きレール５ｅ上を左右方向へスライドすることが可能となる。
【００６０】
（第１の実施の形態に係る変更例３）
また、本発明は、上述した変更例に留まらない。上述した第１の実施の形態に係る連結部材１１ｃを収容する収容部材１３の側面には、規制部材１１ｃ−１が貫通する貫通溝１３Ａが形成されているものとして説明したが、以下のようにも変更することができる。なお、上述した第１の実施の形態に係る収容部材１３と相違する部分を主として説明する。
【００６１】
図９（ａ）は、変更例３に係る左右方向支持部を示す図２のＢ−Ｂ断面図（閉位置）であり、図９（ｂ）は、変更例３に係る左右方向支持部を示す図２のＢ−Ｂ断面図（開放可能位置又は開放位置）である。
【００６２】
図９に示すように、左右方向支持部１１を構成する連結部材１１ｃは、ドア本体５を開口部分３ａに対して外側方向へ規制する規制部材１１ｃ−１を先端側（すなわち、収納庫内側）に備えている。
【００６３】
この連結部材１１ｃが設けられているドア本体５の他方である収納庫３には、ドア本体５が閉位置の際に連結部材１１ｃ全体を収容する収容部材１３が設けられている。収容部材１３には、規制部材１１ｃ−１と係合し、内側へ突出する係合部１３ａが設けられている。係合部１３ａは、規制部材１１ｃ−１と係合することで、該連結部材１１ｃを開口部分３ａに対して外側方向へ規制する（図９（ｂ）参照）。
【００６４】
（第１の実施の形態に係る変更例４）
また、本発明は、上述した変更例に留まらない。上述した第１の実施の形態に係る左右方向支持部１１を構成する固定板部材１１ａ、及び、スライド板部材１１ｂ（第１のスライド板部材１１ｂ−１及び第２のスライド板部材１１ｂ−２）には、フックＦａ〜Ｆｄがそれぞれ設けられているものとしてとして説明したが、以下のようにも変更することができる。なお、上述した第１の実施の形態に係る固定板部材１１ａ、及び、スライド板部材１１ｂと相違する部分を主として説明する。
【００６５】
図１０は、変更例５に係る板部材（固定板部材及びスライド板部材）を示す分解正面図である。図１０に示すように、固定板部材１１ａには、溝Ｄａが設けられている。また、第１のスライド板部材１１ｂ−１には、表面側へ突出する中央部のフックＦｅと、裏面側へ向けて凹む（裏面側へ突出する）中央部のフックＦｆとが設けられている。
【００６６】
また、第２のスライド板部材１１ｂ−２には、溝Ｄｂが設けられている。なお、図１０では、溝Ｄａや溝Ｄｂは、固定板部材１１ａや第２のスライド板部材１１ｂ−２に貫通していないが、貫通していても勿論よい。
【００６７】
具体的には、固定板部材１１ａの溝Ｄａは、第１のスライド板部材１１ｂ−１の裏面側へ突出するフックＦｆと係合することにより、固定板部材１１ａをスライドする第１のスライド板部材１１ｂ−１の左右方向へのスライドを規制する。
【００６８】
また、第２のスライド板部材１１ｂ−２の溝Ｄｂは、第１のスライド板部材１１ｂ−１の表面側へ突出するフックＦｅと係合することにより、第２のスライド板部材１１ｂ−２の左右方向へのスライドを規制する。
【００６９】
（作用・効果）
以上説明した第１の実施の形態に係るドア構造１によれば、閉位置と開放可能位置との間で開口部分３ａに対して内外方向へドア本体５をスライド可能に支持する内外方向支持部７と、ドア本体５を開放可能位置と開放位置との間で開口部分３ａに対して左右方向へスライド可能に支持する左右方向支持部１１とを備えることによって、ドア本体５が収納庫３における開口部分３ａをスライドすることで開閉することができる。
【００７０】
具体的には、上記構成のドア構造１は、従来の引き違いドアが用いられたドア構造と異なり、ドア本体５の厚さ方向に該ドア本体５の厚さ分以上の段差が生じることがないため、美観を損ねることがない。
【００７１】
また、第１の実施の形態に係るドア構造１は、従来の引き違いドアが用いられたドア構造と異なり、開口部分３ａの前面側に露出する部分がない（すなわち、露出する部分に異物（例えば、ほこり）が貯まることがない）ため、開閉動作を円滑かつ軽快に行うことができる。
【００７２】
また、第１の実施の形態に係るドア構造１は、従来の観音開きドアが用いられているドア構造と異なり、回転支持部を中心にドア本体が表面側へ向かって回転しない（すなわち、ドア本体の表面側に回動スペースを要しない）ため、収納庫の表面側の省スペース化を実現することができる。
【００７３】
さらに、第１の実施の形態に係るドア構造１は、ロック部材１５（フック部材１５ａ及び嵌合部材１５ｂ）を備えていることによって、常に内外方向支持部７を構成する押圧部材７ａにより開口部分３ａに対して外側方向へ（すなわち、ドア本体５の閉位置から開放可能位置へ）押圧されているドア本体５を閉位置で収納庫３側へ保持することができる。
【００７４】
このように、第１の実施の形態に係るドア構造１は、美観を損ねることなく、省スペース化を実現することができるとともに、開閉操作を円滑かつ軽快に行うことができる。
【００７５】
［第２の実施の形態］
次に、第２の実施の形態に係るドア構造を構成する左右方向支持部の構成について、図１１〜図１４を用いて説明する。上述した第１の実施の形態に係るドア構造を構成する左右方向支持部１１は、収納庫３の内側（天板３−３の下側）に設けられているものとして説明したが、これに限定されるものではない。なお、上述した第１の実施の形態に係るドア構造１と相違する部分を主として説明する。
【００７６】
図１１は、第２の実施の形態に係るドア構造を示す斜視図（開放時）であり、図１２（ａ）は、第２の実施の形態に係る左右方向支持部を示す図１１のＤ−Ｄ断面図（閉位置）であり、図１２（ｂ）は、第２の実施の形態に係る左右方向支持部を示す図１１のＤ−Ｄ断面図（開放可能位置又は開放位置）であり、図１３（ａ）は、第２の実施の形態に係る左右方向支持部を示す図１１のＥ−Ｅ断面図（閉位置）であり、図１３（ｂ）は、第２の実施の形態に係る左右方向支持部を示す図１１のＥ−Ｅ断面図（開放可能位置）であり、図１３（ｃ）は、第２の実施の形態に係る左右方向支持部を示す図１１のＥ−Ｅ断面図（開放位置）であり、図１４は、第２の実施の形態にドア構造を示す斜視図（取外時）である。
【００７７】
図１１〜図１３に示すように、左右方向支持部１１は、ドア本体５を開放可能位置と開放位置との間で開口部分３ａに対して左右方向へスライド可能に支持する。この左右方向支持部１１は、ドア本体５の上部に位置する略コ字状の板部材１２ａ（レール）と、ドア本体５の上縁端部に固定され、板部材１２ａに対して左右方向へスライドする左右スライド部材１２ｂと、開口部分３ａに対して内外方向（閉位置から開放可能位置）及び開口部分３ａに対して左右方向（開放可能位置から開放位置）へ自由自在にスライド可能な自在スライド部材１２ｃとを備えている。
【００７８】
板部材１２ａは、左右スライド部材１２ｂが開口部分３ａに対して左右方向（開放可能位置から開放位置）へスライド可能に支持する。左右スライド部材１２ｂは、固定板部材１１ａ上をスライド可能な円形状のローラからなり、軸支部材Ｓを中心に回動する。
【００７９】
ここで、板部材１２ａと左右スライド部材１２ｂとは、ドア本体５が左右方向へスライドする際、該ドア本体５とともに左右方向へスライドする。なお、図１４に示すように、ドア本体５のみを外す場合には、左右スライド部材１２ｂが固定板部材１１ａをスライドすることによって、ドア本体５が板部材１２ａから外すことができる。
【００８０】
自在スライド部材１２ｃは、ドア本体５の左右方向へのスライドする範囲を規制する上下に互い違いに設けられるストッパ１２ｃ−１（上部ストッパ１２ｃ−１１及び下部ストッパ１２ｃ−１２）と、開口部分３ａに対して内外方向及び開口部分３ａに対して左右方向へ自由自在スライド可能なボールベアリング１２ｃ−２とを有している（図１２参照）。
【００８１】
左右方向支持部１１が設けられているドア本体５の他方である収納庫３には、左右方向支持部１１を収容するとともに、ドア本体５を前方方向（閉位置から開放可能位置）へのスライドする範囲を規制する係合部１３ａを有する収容部材１３が設けられている。
【００８２】
この収容部材１３には、ドア本体５が閉位置の際に、自動的にドア本体５が左右方向へスライドさせない（中立位置で保持させる）切欠き部１３ｂが形成されている。
【００８３】
また、収容部材１３は、上部ストッパ１２ｃ−１１のみを挿通可能な溝（不図示）を有する側壁１３ｂ−１と、下部ストッパ１２ｃ−１２のみを挿通可能な溝を有する側壁１３ｂ−２とを有している。具体的には、図１３に示すように、ドア本体５が左方向へ移動した際には、下部ストッパ１２ｃ−１２は、側壁１３ｂ−２の溝を挿通して、その後に側壁１３ｂ−１と突き当たる。また、ドア本体５を右方向へ移動した際には、上部ストッパ１２ｃ−１１は、側壁１３ｂ−１の溝を挿通して、その後に側壁１３ｂ−２と突き当たる。このため、ストッパ１２ｃ−１（上部ストッパ１２ｃ−１１及び下部ストッパ１２ｃ−１２）は、左右方向へスライドする範囲を規制することが可能となる。
【００８４】
ここで、このような第２の実施の形態に係る左右方向支持部１１は、板部材１２ａと、左右スライド部材１２ｂと、自在スライド部材１２ｃとによって構成されているものとして説明したが、これに限定されるものではなく、第１の実施の形態で説明した図６や図１０に示すように、固定板部材１１ａと、スライド板部材１１ｂ（第１のスライド板部材１１ｂ−１及び第２のスライド板部材１１ｂ−１）と、自在スライド部材１２ｃとによって構成されていても勿論よい。
【００８５】
この場合、固定板部材１１ａは、ドア本体５における上縁に固定される。また、第２のスライド板部材１１ｂ−１は、自在スライド部材１２ｃに固定されるか、又は、連結部材１１ｃを介して自在スライド部材１２ｃに連結される。
【００８６】
（作用・効果）
以上説明した第２の実施の形態に係るドア構造１によれば、閉位置と開放可能位置との間で開口部分３ａに対して内外方向へドア本体５をスライド可能に支持する内外方向支持部７と、ドア本体５を開放可能位置と開放位置との間で開口部分３ａに対して左右方向へスライド可能に支持する左右方向支持部１１とを備えることによって、美観を損ねることなく、省スペース化を実現することができるとともに、開閉操作を円滑かつ軽快に行うことができる。
【００８７】
また、第２の実施の形態に係るドア構造１は、左右方向支持部１１が収納庫３の外側（天板３−３の上側）に設けられていることによって、は、左右方向支持部１１が収納庫３の内側に設けられている場合と比べて、収納庫３内のスペースを広げることができる。
【００８８】
［その他の実施の形態］
上述したように、第１の実施の形態や第２の実施の形態、変更例を通じて本発明の内容を開示したが、この開示の一部をなす論述及び図面は、本発明を限定するものであると理解すべきではない。
【００８９】
具体的には、上述した実施の形態では、ドア構造を構成する収納庫は、キッチンルームに設けられる収納庫の一種である吊り戸棚であるものとして説明したが、これに限定されるものではない。例えば、収納庫は、図１５に示すように、室内に設けられる納戸（いわゆる、クローゼットやウォークインクローゼット）や、玄関に設けられる下駄箱（いわゆる、シューズボックス）、キッチンルームに設けられる食品庫、階段下・屋根裏・床下に設けられる倉庫などであっても勿論よい。
【００９０】
また、上述した実施の形態では、ドア構造は、収納庫に用いられるとして説明したが、これに限定されるものではなく、建造物に用いられればよい。例えば、ドア構造は、図１６に示すように、建造物としての部屋（浴室、トイレ、洗面所等を含む）の間仕切に用いられるものであっても勿論よい。
【００９１】
特に、ドア構造は、図１６及び図１７に示すように、部屋として防音室に用いられる場合には、ドア本体５と部屋１７との間を密閉することにより部屋１７内を防音（遮音）させることが可能なパッキン１８（防音シート）が設けられていることが好ましい。
【００９２】
また、上述した実施の形態では、ドア本体５は、２枚により構成されているものとして説明したが、これに限定されるものではなく、１枚で構成されていてもよく、２枚以上の複数枚（例えば、３枚や４枚）で構成されていてもよい。
【００９３】
また、上述した実施の形態では、内外方向支持部７が収納庫３に設けられ、左右方向支持部１１がドア本体５に設けられているものとして説明したが、これに限定されるものではなく、左右方向支持部１１が収納庫３に設けられ、内外方向支持部７がドア本体５に設けられていてもよい。
【００９４】
さらに、上述した実施の形態では、フック部材１５ａがドア本体５側に設けられ、嵌合部材１５ｂが収納庫３側に設けられているものとして説明したが、これに限定されるものではなく、嵌合部材１５ｂがドア本体５側に設けられ、フック部材１５ａが収納庫３側に設けられていてもよい。
【００９５】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００９６】
【図１】第１の実施の形態に係るドア構造を示す斜視図である。
【図２】第１の実施の形態に係るドア構造の正面図である。
【図３】第１の実施の形態に係る内外方向支持部を示す図２のＡ−Ａ断面図である。
【図４】第１の実施の形態に係る左右方向支持部を示す図２のＢ−Ｂ断面図である。
【図５】第１の実施の形態に係る左右方向支持部を示す図２のＣ−Ｃ断面図である。
【図６】第１の実施の形態に係る板部材（固定板部材及びスライド板部材）を示す分解正面図である。
【図７】変更例１に係る内外方向支持部を示す斜視図である。
【図８】変更例２に係る内外方向支持部を示す斜視図である。
【図９】変更例３に係る左右方向支持部を示す図２のＢ−Ｂ断面図である。
【図１０】変更例４に係る板部材（固定板部材及びスライド板部材）を示す分解正面図である。
【図１１】第２の実施の形態に係るドア構造を示す斜視図である（開放時）。
【図１２】第２の実施の形態に係る左右方向支持部を示す図１１のＤ−Ｄ断面図である。
【図１３】第２の実施の形態に係る左右方向支持部を示す図１１のＥ−Ｅ断面図である。
【図１４】第２の実施の形態に係るドア構造を示す斜視図である（取外時）。
【図１５】その他の実施の形態に係るドア構造の正面図である（納戸）。
【図１６】その他の実施の形態に係るドア構造の正面図である（防音室）。
【図１７】その他の実施の形態に係るドア構造の上面断面図である（防音室）。
【符号の説明】
【００９７】
１…ドア構造、３…収納庫、３ａ…開口部分、３−１…底板、３−２…側板、３−３…天板、５…ドア本体、５ａ…表面側、５ｂ…裏面側、５ｃ…溝部、５ｄ…案内レール、５ｅ…切欠きレール、７…内外方向支持部、７ａ…押圧部材、７ａ−１…棒状部材、７ａ−２…付勢部材、７ｂ…収容部材、７ｃ…スライド部材、９…操作部材、１１…左右方向支持部、１１ａ…固定板部材、１１ｂ…スライド板部材、１１ｂ−１…第１のスライド板部材、１１ｂ−２…第２のスライド板部材、１１ｃ…連結部材、１１ｃ−１…規制部材、１２ａ…板部材、１２ｂ…左右スライド部材、１２ｃ…自在スライド部材、１２ｃ−１…ストッパ、１２ｃ−１１…上部ストッパ、１２ｃ−１２…下部ストッパ、１２ｃ−２…ボールベアリング１３…収容部材、１３Ａ…貫通溝、１３ａ…係合部、１５…ロック部材、１５ａ…フック部材、１５ｂ…嵌合部材、１７…部屋、１８…パッキン、Ｄａ，Ｄｂ…溝、Ｆ，Ｆａ〜Ｆｆ…フック、Ｓ…軸支部材
【図１】
2007309063.tif 000003
【図２】
2007309063.tif 000004
【図３】
2007309063.tif 000005
【図４】
2007309063.tif 000006
【図５】
2007309063.tif 000007
【図６】
2007309063.tif 000008
【図７】
2007309063.tif 000009
【図８】
2007309063.tif 000010
【図９】
2007309063.tif 000011
【図１０】
2007309063.tif 000012
【図１１】
2007309063.tif 000013
【図１２】
2007309063.tif 000014
【図１３】
2007309063.tif 000015
【図１４】
2007309063.tif 000016
【図１５】
2007309063.tif 000017
【図１６】
2007309063.tif 000018
【図１７】
2007309063.tif 000019